(57)【要約】【課題】用紙載置部材の位置を容易に変更することができる連続用紙処理装置を提供する。【解決手段】搬送方向に連続する連続帳票２を搬送しながら、当該連続帳票２に所定の処理を施す連続用紙処理装置１であって、前記連続帳票２を載置する用紙載置部材８を装置本体４の所定の箇所に着脱自在に設けた。【選択図】図１
0003123308.tif 000002
【実用新案登録請求の範囲】
【請求項１】
搬送方向に連続する用紙を搬送しながら、当該連続用紙に所定の処理を施す連続用紙処理装置であって、前記用紙を載置する用紙載置部材を装置本体の所定の箇所に、上下位置移動可能で着脱自在に設けたことを特徴とする連続用紙処理装置。
【考案の詳細な説明】
【技術分野】
【０００１】
本考案は連続用紙処理装置に関し、連続用紙を一枚毎の単葉の用紙に分離する装置等において連続用紙を支持する構造に係るものである。
【背景技術】
【０００２】
従来の連続用紙処理装置としては、例えば特許文献１に記載するものがある。これは用紙処理装置の下部の位置に載置台を備え、載置台にプリント等の前処理が終了した連続用紙を所定状態で載置している。この載置台上から引き出された連続用紙はガイド板に案内されて移送トラクタ部へ供給される。
【０００３】
この用紙処理装置では、連続用紙に所定の処理として以下のことを行っている。左右一対のトラクタからなる移送トラクタ部は、連続用紙の両側に設けた移送孔に適合し、連続用紙をスリッタ部へ供給する。スリッタ部では連続用紙の両側のマージナル部をスリッタ刃で切断する。
【０００４】
また、特許文献２に記載する連続用紙の切断装置では、第２の一対のゴムローラーが連続用紙を挟み込み、第１の一対のゴムローラーで挟持移送されるよりも早い高速回転により連続用紙を加速移送することにより、連続用紙が引っ張られると同時に、引き裂用ミシン目部分に切断補助部材の凸部が接触することにより連続用紙を引き裂用ミシン目から引き裂いて分離切断している。
【０００５】
特許文献３に記載する帳票供給装置では、幅方向に複数列、例えば２列の帳票が連接された連続帳票を、第１カッタで中央の切断ラインに沿って各列毎に切断して重ね合せ、この重ね合された各列毎の連続帳票を横ミシン目にて第２カッタで帳票毎に切断している。
【特許文献１】特開平６−２７８０９０号公報
【特許文献２】特開２０００−１５９３９７号公報
【特許文献３】特開平７−３３０２０５号公報
【考案の開示】
【考案が解決しようとする課題】
【０００６】
ところで、上述したような連続帳票を単位帳票とする、つまり連続する用紙を単位の用紙に切断・分離する連続用紙処理装置では、そのほとんどにおいて連続用紙を載置する用紙載置部材が装置下部の特定位置に固定配置されていた。
【０００７】
これは連続用紙の最大載置量を考慮し、用紙載置部材に最大量の連続用紙を載置できるようにするためである。しかし、用紙載置部材に載置する連続帳票の処理対象量はその都度異なり、小サイズまたは少ない量の連続用紙を高頻度で処理する場合に、装置の下部に用紙載置を頻繁に行うのは操作性が悪く、用紙載置箇所は上部の位置にある方が用紙を載置しやすく、操作性もよい。このため、連続帳票の処理対象量に応じて操作者の作業負担を軽減できる位置へ変更できるものが要望されている。
【０００８】
本考案は上記の課題を解決するものであり、用紙載置部材の位置を容易に変更することができる連続用紙処理装置を提供することを目的とする。
【課題を解決するための手段】
【０００９】
上記の課題を解決するために、本考案の連続用紙処理装置は、搬送方向に連続する用紙を搬送しながら、当該連続用紙に所定の処理を施す連続用紙処理装置であって、前記用紙を載置する用紙載置部材を装置本体の所定の箇所に、上下位置移動可能で着脱自在に設けたものである。
【考案の効果】
【００１０】
本考案によれば、連続帳票の処理対象量に応じて用紙載置部材の位置を容易に変更することができ、操作者が自身の作業において適切な位置へ用紙載置部材を設置することにより、用紙載置部材へ連続用紙を載置するのに際して操作者が屈み込む姿勢やしゃがみ込む姿勢となることを抑制し、作業負担を軽減できる。
【考案を実施するための最良の形態】
【００１１】
本考案の実施の形態を図面に基づいて説明する。図１〜図８において、連続用紙処理装置１は、連続帳票２を単葉の単位用紙に切断・分離するものであるが、連続用紙処理装置１の連続処理には種々のものがあり、ここでは先に述べたように、左右一対のトラクタで連続用紙をスリッタ部へ供給し、スリッタ部で連続用紙の両側のマージナル部をスリッタ刃で切断して裁断屑箱３に集める。連続用紙処理装置１の装置本体４の前部には用紙給紙部５および引き出し式の給紙部材６を設けている。
【００１２】
図４〜図５に用紙給紙部５は両側の支柱部７と、両支柱部７に掛け渡して配置する用紙載置部材８からなる。支柱部７は上部の一端に装置本体４の支軸９に係合する引っ掛け部１０を有し、下部の他端に装置本体４へネジ止めする固着部１１を有しており、前面に複数の係合孔１２を所定ピッチで形成している。
【００１３】
図６〜図８に示すように、用紙載置部材８は連続帳票２を載置する棚部材１３と、棚部材１３の両側に固定接続した装着用金具部１４からなり、棚部材１３は線材をＬ字形に折れ曲げて形成した複数のエレメント１３ａを、両側の装着用金具部１４の間に掛け渡した直線状のエレメント１３ｂで接合してなる。装着用金具部１４は水平方向に配置する水平支持部材１５と垂直方向に配置する垂直支持部材１６からなる。
【００１４】
支柱部７の前面に沿う垂直支持部材１６の上端に上部係合部材１７を設け、下端に下部係合部材１８を設けている。上部係合部材１７および下部係合部材１８は棚部材１３の各係合孔１２に挿入する差込部１７ａ、１８ａと、係合孔１２の開口縁１２ａに上下方向で係合する段部１７ｂ、１８ｂを有している。上部係合部材１７の差込部１７ａは係合孔１２の上下方向の開口幅よりも長く、下部係合部材１８の差込部１８ａは係合孔１２の上下方向の開口幅よりも短い。
上記の構成において、用紙載置部材８を移動させる場合には、用紙載置部材８の全体を上方へ持ち上げ、係合孔１２の開口内で段部１７ｂ、１８ｂの移動が許容される範囲で上部係合部材１７および下部係合部材１８を移動させる。
【００１５】
この移動によって、下部係合部材１８の差込部１８ａが係合孔１２から抜け出ることが可能となり、下部係合部材１８の差込部１８ａを係合孔１２から引き出した状態で、用紙載置部材８の全体を下方へ下げることで、上部係合部材１７の差込部１７ａを係合孔１２から引き出し、用紙載置部材８を支柱部７から離す。
【００１６】
そして、用紙載置部材８を操作者によって適切な位置へ配置し、対応する係合孔１２に上部係合部材１７および下部係合部材１８を係合させる。装着時操作は、先に述べた離脱時操作と逆の手順で行う。
【００１７】
つまり、上部係合部材１７の差込部１８ａを対応する係合孔１２に差し込み、下部係合部材１８の差込部１８ａを対応する係合孔１２の内部へ挿入し、用紙載置部材８の全体を下げて下部係合部材１８の段部１８ｂを係合孔１２の開口縁１２ａに係合させ、上部係合部材１７の差込部１８ａを支柱部７の内壁面に当接させて用紙載置部材８を支柱部７に装着する。そして、用紙載置部材８の棚部材１３に連続帳票２を載置する。
【００１８】
連続帳票２の処理対象量に応じて用紙載置部材８の位置を容易に変更することができ、操作者が自身の作業において適切な位置へ用紙載置部材８を設置することにより、用紙載置部材８へ連続用紙を載置するのに際して操作者が屈み込む姿勢やしゃがみ込む姿勢となることを抑制し、作業負担を軽減できる。
【図面の簡単な説明】
【００１９】
【図１】本考案の実施の形態における連続用紙処理装置の斜視図
【図２】同実施の形態における連続用紙処理装置のほぼ正面から見た図
【図３】同実施の形態における連続用紙処理装置の側面図
【図４】同連続用紙処理装置の用紙給紙部を示す斜視図
【図５】同連続用紙処理装置の用紙給紙部を示す正面図
【図６】同用紙給紙部の用紙載置部材を示す斜視図
【図７】同用紙給紙部の用紙載置部材を示す平面図
【図８】同用紙給紙部の用紙載置部材を示す側面図
【符号の説明】
【００２０】
１  連続用紙処理装置
２  連続帳票
３  裁断屑箱
４  装置本体
５  用紙給紙部
６  引き出し式の給紙部材
７  支柱部
８  用紙載置部材
９  支軸
１０  引っ掛け部
１１  固着部
１２  係合孔
１２ａ  開口縁
１３  棚部材
１３ａ、１３ｂ  エレメント
１４  装着用金具部
１５  水平支持部材
１６  垂直支持部材
１７  上部係合部材
１８  下部係合部材
１７ａ、１８ａ  差込部
１７ｂ、１８ｂ  段部
【図１】
0003123308.tif 000003
【図２】
0003123308.tif 000004
【図３】
0003123308.tif 000005
【図４】
0003123308.tif 000006
【図５】
0003123308.tif 000007
【図６】
0003123308.tif 000008
【図７】
0003123308.tif 000009
【図８】
0003123308.tif 000010
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
搬送方向に連続する用紙を搬送しながら、当該連続用紙に所定の処理を施す連続用紙処理装置であって、前記用紙を載置する用紙載置部材を装置本体の所定の箇所に形成した係合孔に係合させて、上下位置移動可能で着脱自在に設けたことを特徴とする連続用紙処理装置。
【手続補正２】
【補正対象書類名】明細書
【補正対象項目名】０００９
【補正方法】変更
【補正の内容】
【０００９】
上記の課題を解決するために、本考案の連続用紙処理装置は、搬送方向に連続する用紙を搬送しながら、当該連続用紙に所定の処理を施す連続用紙処理装置であって、前記用紙を載置する用紙載置部材を装置本体の所定の箇所に形成した係合孔に係合させて、上下位置移動可能で着脱自在に設けたものである。